(57)【特許請求の範囲】
【請求項１】
無線信号の受信状態に応じて第１、第２のアンテナからなる複数のアンテナの何れか一方を選択する第１の切替手段と、該第１の切替手段により選択されたアンテナからの受信信号を処理可能な信号に復調する受信部と、無線信号の送信が可能な送信部と、少なくとも受信時の前記複数のアンテナの切り替え制御と送受信の制御が可能な制御部と、を備えたダイバシティ無線通信装置において、
前記複数のアンテナの中で無線送信時に使用されないアンテナの受信信号の経路を前記受信部へと導く受信側若しくは前記受信信号を検波する検波手段へと導く送信側の何れかに切り替える第２の切替手段を備え、
前記無線通信装置が前記第１のアンテナを用いて送信を開始すると、前記制御部は、
前記第２の切替手段を前記送信側へ切り替えて前記無線送信時に使用されない前記第２のアンテナより受信した送信波を前記検波手段で検波して出力することにより、前記送信部の動作を監視し、
更に、前記無線通信装置の送受信周波数が同一の場合には、前記第１の切替手段を前記第２のアンテナ側へ切り替えると同時に前記第２の切替手段を前記受信側へ切り替え、前記無線送信時に使用されない前記第２のアンテナにより受信した送信波を前記受信部で受信して出力することにより、前記受信部の動作を監視可能とする、
ことを特徴とする監視機能付きダイバシティ無線通信装置。
【請求項２】
前記複数のアンテナの中で送信するアンテナが特定される場合には、
前記複数のアンテナのうちの受信専用アンテナの受信信号の経路上に前記第２の切替手段が設けられることを特徴とする請求項１に記載の監視機能付きダイバシティ無線通信装置。
【請求項３】
無線信号の受信状態に応じて第１、第２のアンテナからなる複数のアンテナの何れか一方を選択するアンテナスイッチ手段と、該アンテナスイッチ手段により選択されたアンテナからの受信信号を処理可能な信号に復調する受信部と、無線信号の送信が可能な送信部と、少なくとも受信時の前記複数のアンテナの切り替え制御と送受信の制御が可能な制御部と、を備えたダイバシティ無線通信装置において、
前記複数のアンテナの中で無線送信時に使用されないアンテナの受信信号の経路を前記受信部と前記受信信号を検波する検波手段とに分岐させる分岐手段を備え、
前記無線通信装置が前記第１のアンテナを用いて送信を開始すると、前記制御部は、
前記アンテナスイッチ手段を切り替えて選択された前記無線送信時に使用されない前記第２のアンテナより受信され前記分岐手段から出力された送信波を前記検波手段で検波して出力することにより、前記送信部の動作を監視し、
更に、前記無線通信装置の送受信周波数が同一の場合には、前記アンテナスイッチ手段を切り替えて選択された前記無線送信時に使用されない前記第２のアンテナより受信され前記分岐手段から出力された送信波を前記受信部で受信して出力することにより、前記受信部の動作を監視可能とする、
ことを特徴とする監視機能付きダイバシティ無線通信装置。
【請求項４】
前記複数のアンテナの中で送信するアンテナが特定される場合には、
前記複数のアンテナのうちの受信専用アンテナの受信信号の経路上に前記分岐手段が設けられることを特徴とする請求項３に記載の監視機能付きダイバシティ無線通信装置。
【発明の詳細な説明】
【０００１】
【発明の属する技術分野】
本発明は監視機能付きダイバシティ無線通信装置に関し、更に詳しくは、自局の送信波を監視して自局の送信波の監視及び制御を行うダイバシティ無線通信装置に関する。
【０００２】
【従来の技術】
近年、移動体通信移動局等の無線機において、送信部に自局が基地局からの指示に従った正常な送信波を出力しているかどうかを監視する機能を具備したものが出現し、これによって自局の送信電力やチャンネル周波数等を常に最適なものにするよう制御している。一方、無線機全体としては、常に安定した受信が出来る様に複数のアンテナを空間的に離し、アンテナを切替えることによってフエージングの影響を軽減させるダイバシティー方式を用いたものも存する。
図３は、従来の監視機能付きダイバシティ無線通信装置の全体構成の一例を示すブロック図である。
この図３の監視機能付きダイバシティ無線通信装置は、例えば、時分割多重方式で一つの周波数で送信と受信が行える無線通信装置である。
送受信用メインアンテナ１は、送信と受信の双方に用いられるアンテナであり、送信時は、この送受信用メインアンテナ１だけが用いられるが、受信時は後述する受信専用サブアンテナとこの送受信用メインアンテナ１のうちで受信条件の良い方のアンテナが用いられる。
受信専用サブアンテナ２は、上記の送受信用メインアンテナ１とは空間的に離して設置され、受信専用で送信は行わず、前記送受信用メインアンテナ１とのどちらか受信条件の良い方の受信信号が用いられるアンテナである。
送受信共用器３は、１本のアンテナを送受両用に用いるための装置である。
【０００３】
アンテナ切替スイッチ４は、送受信用メインアンテナ１と受信専用サブアンテナ２の双方の受信信号から受信状態の良いいずれか一方のアンテナに切替えて後述する受信部６に受信信号を入力させるためのスイッチである。
送信部５は、後述する送信回路１０、パワーアンプ９，分配器８及びアイソレータ７の直列回路から成り、音声や制御信号等の無線信号を送出するためのものである。
受信部６は、上記アンテナ切替えスイッチ４で選択されたアンテナからの無線の受信信号を音声信号や制御信号としてこの監視機能付きダイバシティ無線通信装置で処理可能な信号に復調するためのものである。
送信回路１０は、図示されないマイクロホンからの音声信号や後述する制御部１４で生成された制御信号等の信号を変調して無線信号として送出するためのものである。
パワーアンプ９は、送信回路１０から出力された無線信号を送信に必要なレベルまで増幅するためのものである。
分配器８は、無線信号の一部を主系統とは別に分配させるためのものである。
【０００４】
アイソレータ７は、送信する無線信号は通過させるが、逆方向のアンテナ側からの無線信号は通過させないようにするためのものである。
検波器１１は、分配器８で分配された無線信号を検波して、その周波数や増幅度を監視するためのものである。
制御部１４は、受信においては、受信出力が安定するように各アンテナの受信状態の監視とアンテナの切替等を行い、送信では、検波器１１の出力から出力周波数や増幅度の制御等を行うためのものである。
その動作、制御を詳細に説明すると、送信部５から出力する送信波は送受信共用器３を通って送受信用メインアンテナ１から送信される。
この時、送信部５では、アイソレータ７とパワーアンプ９の間に挿入した分配器８を介してパワーアンプ９からの送信波の一部を分岐し、検波部１１にて検波した後、検波信号が制御部１４に送られ、制御部１４ではこの検波出力に基づいて、送出する無線信号が指定された送信電力及びスペクトルとなっているかどうかの監視を行う。もし、指定された送信電力及びスペクトルが出力されていない場合は、指定された送信電力及びスペクトルになる様に送信回路１０による変調並びにパワーアンプ９出カレベルの制御を行う。
【０００５】
【発明が解決しようとする課題】
しかしながら以上説明したような従来の監視機能付きダイバシティ無線通信装置における送信波の監視手段では以下に示す問題点があった。
（１）送信波の監視をパワーアンプ９とアイソレータ７の間から分岐した送信波を検波することにより行っている為、制御部１４からパワーアンプ９までの送信異常の監視は可能であるものの、それ以降のアイソレータ７、送受信共用器３、送受信用メインアンテナ１における送信系全体、或いは、更に受信系までを含めた装置全体の監視が不可能である。
（２）従って、アイソレータ７、送受信共用器３、送受信用メインアンテナ１での送信異常を監視する為には、基地局を含めたシステム全体において監視する必要がありシステムが複雑となる。
（３）パワーアンプ９とアイソレータ７の間の送信経路上に、分配器８を挿入している為、ここでの損失や制御部１４、検波器１１の動作不良による雑音等の発生で、送信波の品質劣化等の悪影響を与え易い。
本発明は、上述したような従来の監視機能付きダイバシティ無線通信装置に係わる諸問題点を解決するためになされたものであって、送信波に悪影響を与えず、システム構成を複雑化することなく無線機全体を通して所望の送信波を生ずるよう送信系の監視と制御が可能であり、又、送受信周波数が同一周波数の無線機の場合は、更に受信系についても監視が可能とする監視機能付きダイバシティ無線通信装置を提供することを目的とする。
【０００６】
【課題を解決するための手段】
上記目的を達成する為に、本発明においては、無線信号の受信状態に応じて第１、第２のアンテナからなる複数のアンテナの何れか一方を選択する第１の切替手段と、該第１の切替手段により選択されたアンテナからの受信信号を処理可能な信号に復調する受信部と、無線信号の送信が可能な送信部と、少なくとも受信時の前記複数のアンテナの切り替え制御と送受信の制御が可能な制御部と、を備えたダイバシティ無線通信装置において、前記複数のアンテナの中で無線送信時に使用されないアンテナの受信信号の経路を前記受信部へと導く受信側若しくは前記受信信号を検波する検波手段へと導く送信側の何れかに切り替える第２の切替手段を備え、前記無線通信装置が前記第１のアンテナを用いて送信を開始すると、前記制御部は、前記第２の切替手段を前記送信側へ切り替えて前記無線送信時に使用されない前記第２のアンテナより受信した送信波を前記検波手段で検波して出力することにより、前記送信部の動作を監視し、更に、前記無線通信装置の送受信周波数が同一の場合には、前記第１の切替手段を前記第２のアンテナ側へ切り替えると同時に前記第２の切替手段を前記受信側へ切り替え、前記無線送信時に使用されない前記第２のアンテナにより受信した送信波を前記受信部で受信して出力することにより、前記受信部の動作を監視可能とする、ことを特徴とする。
本発明では、ダイバシティ受信方式の複数アンテナであることを利用し、無線送信時に使用されないアンテナによって送信出力を直接に受信して検波する事で、送信波に悪影響を与えず、システム構成を複雑化することなく無線機全体を通して所望の送信波を生ずるよう送信系の監視と制御を行う。また、無線機の送受信周波数が同一周波数である場合には、無線機の送信モードに対応して自局の送受信用メインアンテナからの送信波を直接受信部により受信し受信部の監視も可能とする。
【０００７】
【発明の実施の形態】
図１は、本発明の第１の実施形態の全体構成を示すブロック図である。
従来技術の図３の例と同一かほぼ同様な機能のブロックについては、同一の番号として示してあり、ここでは特に説明を行わない。
この第１の実施形態の構成が従来技術の図３の例と違っている点としては、送信部５のパワーアンプ９とアイソレータ７間に配置していた分配器８、検波器１１を取外し、代わりに受信専用サブアンテナ２とアンテナ切替えスイッチ４間に新たに送受信切替えスイッチ１２を追加し、さらに送受信切替えスイッチ１２の送信側（Ｔ）に、自局の送受信用メインアンテナ１からの送信波を受信専用サブアンテナ２で直接に受信して検波する為の検波器１３を備え、これによって送信波の監視を行っていることである。
以下、図示した実施例についてその動作を詳細に説明する。
図１において、無線機が基地局の指示に従って送信を開始すると、送受信切替えスイッチ１２は、送信と同時に送信側（Ｔ）に切替わり、送信波は受信専用サブアンテナ２によって受信されて、送受信切替えスイッチ１２を通して送信波を検波器１３へ伝えられる。検波器１３では、受信した送信波の検波を行い、送信波の出力と周波数を制御部１４で処理可能な信号として出力する。
制御部１４では、検波器１３からの信号により送信波の出力と周波数を分析し、基地局から指示された出力と周波数で送信出力が行われているかどうかを判断する。もし、検波された信号が基地局の指示と異なる場合は、送信部５の送信回路１０で周波数の調整を行い、パワーアンプ９で出力の調整を行うように制御する指示を与える。もし、ここで制御不可能な状態、又は、検波出来ない等の異常が発生すれば、システムヘの妨害の可能性があると判断して基地局に報告すると共に無線機の電源遮断等により自局を閉局するか、若しくは、無線機の送信を禁止するよう制御する。
この実施形態に示すように、従来は不可能であった自局の送信波の監視がアイソレータ７、送受信共用器３、送受信用メインアンテナ１を含めた送信機全体に亙り可能となるので、これらの送信系の整合がとれているか否かの監視、及び、送信系全体での出力と周波数の制御を自局内で行うことが出来る。
さらに、送受信が同一周波数の無線機の場合には、送信時にアンテナ切替えスイッチ４を受信専用サブアンテナ側（Ｓ）にし、送受信切り替えスイッチ１２を受信側（Ｒ）に切替えることにより、送信波を直接に受信部６で受けて、受信専用サブアンテナ２の監視及び受信部６の動作の監視が可能となる。
【０００８】
図２は本発明の第２の実施形態の全体構成を示すブロック図である。
この図２においても図１と同様に、従来技術の図３の例と同一かほぼ同様な機能のブロックについては、同一の番号として示してあり、ここでは特に説明を行わない。
図２の第２の実施形態の構成が従来技術の図３と違っている点は、送信部５のパワーアンプ９とアイソレータ７間に配置していた分配器８、検波器１１を取外し、代わりにアンテナ切替えスイッチ４と受信部６間に分配器又はフィルターリングによる分離器１５（以下、ＨＹＢ１５と言う）を直列に挿入し、該分岐出力に検波部１３を接続し、無線機の送信モードに対応してアンテナ切替えスイッチ４により受信専用サブアンテナ２に切替えて自局の送受信用メインアンテナ１からの送信波を直接受信検波して制御部１４により該送信波の監視と制御を可能とする構成である。
この第２の実施形態は、無線部の送信モードに対応して、自局の送受信用メインアンテナ１からの送信波を受信専用サブアンテナ２で直接受信した信号を制御部１４で監視することにより受信部６の自己診断も同時に可能とする構成を持つ監視機能付きダイバシティ無線通信装置である。
【０００９】
この第２の実施形態が、図１の第１の実施例の構成と異なるのは、図１の送受信切替えスイッチ１２を省略する替わりに、図２ではＨＹＢ１５に置換えた構成としたことである。従って、機能は第１の実施例と同様であるが構成上の相違から、第１の実施例では送信部５の監視及び制御と受信部６の自己診断を切替えて個別に行う必要があるが、この第２の実施例では両方の機能が同時に可能となることである。
上記構成により、ダイバシティ受信方式の複数アンテナであることを利用し、無線送信時に使用されないアンテナによって送信出力を直接に受信して検波するにより、送信波に悪影響を与えず、システム構成を複雑化することなく無線機全体を通して所望の送信波を生ずるよう送信系の監視と制御を行うことができる。また、無線機の送受信周波数が同一周波数である場合には、無線機の送信モードに対応して自局の送受信用メインアンテナからの送信波を直接受信部により受信し受信部の監視も可能となる。
【００１０】
【発明の効果】
本発明の監視機能付きダイバシティ無線通信装置は、自局の送信波を直接受信監視する様に構成したので、従来の監視方法では不可能であったアイソレータ及び送受信共用器の監視に加えて送受信用メインアンテナの整合監視と制御が可能となる。
さらに受信専用サブアンテナ及び受信部の監視も可能となるので、自局の無線機全体の制御と障害監視が可能となる。
従って、送信波異常等によるシステム妨害があると判断すれば基地局に報告すると共に、その妨害を回避する為に自局の閉局若しくは送信の禁止を行うことも出来るので、他局に対する妨害を排除する上でその効果は極めて大である。
【図面の簡単な説明】
【図１】  本発明に係わる監視機能付きダイバシティ無線通信装置の第１の実施形態を示すブロック図である。
【図２】  本発明に係わる監視機能付きダイバシティ無線通信装置の第２の実施形態を示すブロック図である。
【図３】  従来の監視機能付きダイバシティ無線通信装置の一例を示すブロック図である。
【符号の説明】
１  送受信用メインアンテナ、
２  受信専用サブアンテナ、
３  送受信共用器、
４  アンテナ切替えスイッチ，
５  送信部、
６  受信部、
７  アイソレータ、
８  分配器、
９  パワーアンプ、
１０  送信回路、
１１、１３  検波部、
１２  送受信切替えスイッチ、
１４  制御部、
１５  分配器又はフィルターリングによる分離器（ＨＹＢ）
【図１】
0004067607.tif 000002
【図２】
0004067607.tif 000003
【図３】
0004067607.tif 000004